(57)【特許請求の範囲】
【請求項１】
第１の基地局において、
隣接する第２の基地局（２）を示す第１のメッセージ（１１８）を、ユーザ装置から受信するステップと、
前記第２の基地局に第２のメッセージ（１２０）を送信するステップであって、前記第２のメッセージが、前記第２の基地局への第１の通信リンク（１２２）の確立を開始するための要求を含み、前記第１の通信リンクが、前記第２の基地局へのハンドオーバを行うためのハンドオーバ通信を可能にするようになされている、ステップと、
前記第２のメッセージに応答して、前記第２の基地局の隣接基地局である少なくとも第３の基地局（３）を示す情報を含む第３のメッセージ（１２４）を、前記第２の基地局から受信するステップであって、前記第３のメッセージ（１２４）が、前記第３の基地局の１つまたは複数のセルのセル識別子およびトラッキング・エリア識別子を含む、ステップと、
前記第３のメッセージにより受信した情報を使用し、前記第１の基地局と前記第３の基地局との間で通信（１２８）を可能にするステップと、
前記第３の基地局への通信リンクの確立を開始するステップとを含む、基地局間通信の方法。
【請求項２】
前記第３の基地局への通信リンクによって、前記第１の基地局から前記第３の基地局への今後のハンドオーバが実行され、かつ／または、前記第１の基地局と前記第３の基地局との間で干渉情報が交換される、請求項１に記載の方法。
【請求項３】
前記第３のメッセージが、少なくとも前記第３の基地局のＩＰアドレスを示し、
前記方法が、前記第３の基地局へのハンドオーバを行うためのハンドオーバ通信を可能にするようになされた第２の通信リンク（１２８）の確立を開始するための第４のメッセージ（１２６）を、前記第３の基地局に送信するステップをさらに含む、請求項１または２に記載の方法。
【請求項４】
前記第３の基地局の１つまたは複数のセルの前記セル識別子および前記トラッキング・エリア識別子を使用し、前記第３の基地局に接触するための１つまたは複数のＩＰアドレスを判定するステップと、
前記ＩＰアドレスを使用して、前記第３の基地局へのハンドオーバを行うためのハンドオーバ通信を可能にするようになされた第２の通信リンク（１２８）の確立を開始するステップとをさらに含む、請求項１に記載の方法。
【請求項５】
Ｓ１インターフェース上でハンドオーバを行うために、前記第３の基地局の１つまたは複数のセルの、前記第３のメッセージにおいて受信した前記セル識別子および前記トラッキング・エリア識別子を使用するステップをさらに含む、請求項１または４に記載の方法。
【請求項６】
前記第１の通信リンクおよび／または前記第２の通信リンクが、Ｘ２インターフェースを使用して確立される、請求項１乃至５のいずれか１項に記載の方法。
【請求項７】
前記第３のメッセージに応答して、前記第３のメッセージにおいて前記第３の基地局について受信した情報を使用して、直接通信リンクを開始するために前記第３の基地局に第４のメッセージ（１２６）を送信するステップと、
かつ／または、前記第３のメッセージに応答して、前記第３のメッセージにおいて前記第３の基地局について受信した情報を使用して、Ｓ１インターフェース上で前記第３の基地局に対するハンドオーバを実行するステップとをさらに含む、請求項１乃至６のいずれか１項に記載の方法。
【請求項８】
第１の基地局（１）において、隣接する第２の基地局（２）を示す第１のメッセージ（１１８）を、ユーザ装置から受信するステップと、
前記第１の基地局が、前記第２の基地局に第２のメッセージ（１２０）を送信するステップであって、前記第２のメッセージが、前記第２の基地局への第１の通信リンク（１２２）の確立を開始するための要求を含み、前記第１の通信リンクが、前記第２の基地局へのハンドオーバを行うためのハンドオーバ通信を可能にするようになされている、ステップと、
前記第２のメッセージに応答して、前記第２の基地局の隣接基地局である少なくとも第３の基地局（３）を示す情報を含む第３のメッセージ（１２４）を、前記第１の基地局において、前記第２の基地局から受信するステップであって、前記第３のメッセージ（１２４）が、前記第３の基地局の１つまたは複数のセルのセル識別子およびトラッキング・エリア識別子を含む、ステップと、
前記第３のメッセージにより受信した情報を使用し、前記第１の基地局と前記第３の基地局との間で通信（１２８）を可能にするステップと、
前記第３の基地局への通信リンクの確立を開始するステップと、
によって基地局間通信を可能にするために、基地局によって実行されるための実行可能な命令を含むコンピュータ・プログラム。
【請求項９】
前記命令が、
前記第３のメッセージに応答して、前記第３のメッセージにおいて前記第３の基地局について受信した情報を使用して、直接通信リンクを開始するために前記第３の基地局に第４のメッセージ（１２６）を送信するステップと、
かつ／または、前記第３のメッセージに応答して、前記第３のメッセージにおいて前記第３の基地局について受信した情報を使用して、Ｓ１インターフェース上で前記第３の基地局に対するハンドオーバを実行するステップと、
を行うようにさらになされた、請求項８に記載のコンピュータ・プログラム。
【請求項１０】
隣接する第２の基地局（２）を示す第１のメッセージ（１１８）を、ユーザ装置から受信し、前記第２の基地局に第２のメッセージ（１２０）を送信し、前記第２のメッセージに応答して、前記第２の基地局の隣接基地局である少なくとも第３の基地局（３）を示す第３のメッセージ（１２４）を、前記第２の基地局から受信するように動作可能であり、 前記第２のメッセージが、前記第２の基地局への第１の通信リンク（１２２）の確立を開始するための要求を含み、前記第１の通信リンクが、前記第２の基地局へのハンドオーバを行うためのハンドオーバ通信を可能にするようになされている、基地局発見コンポーネント（１０４）と、
第１の基地局と前記第３の基地局との間で通信（１２８）を可能にするために、前記第３のメッセージにより受信した情報を使用して、前記第３の基地局への通信リンクの確立を開始するための処理コンポーネント（１０８）とを含み、
前記第３のメッセージ（１２４）が、前記第３の基地局の１つまたは複数のセルのセル識別子およびトラッキング・エリア識別子を含む、移動セルラ・デジタル電気通信ネットワークのための基地局。
【請求項１１】
前記基地局発見コンポーネント（１０４）が、前記第３の基地局について前記第３のメッセージにおいて受信した情報に基づいて、前記第３の基地局への通信リンクを確立するための第４のメッセージ（１２６）を、前記第３の基地局に送信するように動作可能である、請求項１０に記載の基地局。
【請求項１２】
前記処理コンポーネントが、前記第３のメッセージにおいて受信した情報に基づいたＳ１上で、または前記第４のメッセージに応答して確立された前記通信リンクに基づいたＸ２上のいずれかで、前記第３の基地局へのハンドオーバを行うように動作可能であるハンドオーバ処理コンポーネントである、請求項１０または１１に記載の基地局。
【請求項１３】
請求項１０乃至１２のいずれか１項に記載の複数の基地局を含む移動デジタル・セルラ電気通信ネットワーク。
【発明の詳細な説明】
【技術分野】
【０００１】
本発明は、移動セルラ・デジタル電気通信ネットワークの分野に関し、より詳細には、基地局間通信の方法に関する。
【背景技術】
【０００２】
技術仕様書、３ＧＰＰ  ＴＳ  ３６．３００  Ｖ８．８．０、２００９年３月、Ｔｈｉｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）およびＥｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  Ｄｅｓｃｒｉｐｔｉｏｎ；Ｓｔａｇｅ２（Ｒｅｌｅａｓｅ８）は、隣接する基地局の自動発見を包含する自動隣接関係機能（Ａｕｔｏｍａｔｉｃ  Ｎｅｉｇｈｂｏｒ  Ｒｅｌａｔｉｏｎ  Ｆｕｎｃｔｉｏｎ：ＡＮＲＦ）を規定している。通常の呼の手順の一部として、基地局（ノードまたはｅＮＢとも呼ばれる）は、各ユーザ装置（ＵＥ）に、隣接セルの測定を行うように指示する。基地局は、ユーザ装置に、測定を行い、その測定をいつ基地局に報告するかを指示するために様々なポリシーを使用することができる。隣接セルの発見に応答して、必要であれば、新たなＸ２インターフェースがこの新たな基地局に対して設定される。Ｘ２インターフェースの設定は、上記の参照技術仕様書のＳｅｃｔｉｏｎ２２．３．２に従って行われる。
【先行技術文献】
【非特許文献】
【０００３】
【非特許文献１】３ＧＰＰ  ＴＳ  ３６．３００  Ｖ８．８．０、２００９年３月、Ｔｈｉｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）およびＥｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  Ｄｅｓｃｒｉｐｔｉｏｎ；Ｓｔａｇｅ２（Ｒｅｌｅａｓｅ８）
【発明の概要】
【課題を解決するための手段】
【０００４】
本発明は、基地局間通信の方法を提供し、方法は、第１の基地局により、隣接する第２の基地局を示す第１のメッセージを受信するステップと、第２の基地局に第２のメッセージを送信するステップと、第２のメッセージに応答して、第２の基地局の隣接基地局である少なくとも第３の基地局を示す情報を含む第３のメッセージを受信するステップと、第３のメッセージにより受信した情報を使用し、第１の基地局と第３の基地局との間で通信を可能にするステップとを含む。
【０００５】
本発明は、いかなるユーザ装置（ＵＥ）の第３の基地局の検出にも関係なく、すなわち、ユーザ装置による第３の基地局の事前の検出を必要とせずに、第１の基地局と第３の基地局との間で通信が可能にされるので、特に有利である。
【０００６】
第１の基地局と第３の基地局との間の通信は、第１の基地局と第３の基地局との間の干渉情報の交換、または他のデータ通信などの、様々な目的のために行うことができる。
【０００７】
本発明の実施形態は、通信リンクの早期設定、および新たに発見された第３の基地局へのロバストなハンドオーバを円滑化する。これは、第３のメッセージに応答して、第３のメッセージにおいてその第３の基地局について受信した情報を使用して、直接通信リンクを開始するために第３の基地局に第４のメッセージを送信することによって達成されうる。代替的に、またはそれに加えて、第３のメッセージに応答して、第３のメッセージにおいてその第３の基地局について受信した情報を使用して、Ｓ１インターフェース上で第３の基地局に対するハンドオーバが実行される。
【０００８】
本発明の実施形態は、発見された隣接する第２の基地局から受信した第３のメッセージが、第２の基地局に隣接している、少なくとも１つの追加的な第３の基地局を示すので、特に有利である。第３の基地局は、ユーザ装置によって必ずしも発見されていなくても、追加的な隣接する基地局として識別される。したがって、本発明の実施形態は、新たに発見された基地局の隣接基地局が、第１の隣接する基地局の識別に関するメッセージを受信した基地局の追加的な隣接基地局として識別されるように、新たに発見された基地局にある、隣接する基地局に関する情報の使用を円滑化する。
【０００９】
本発明の実施形態によれば、第１のメッセージが、隣接する第２の基地局の発見を報告するユーザ装置から受信される。第１のメッセージを、上記の参照技術仕様書、３ＧＰＰ  ＴＳ  ３６．３００、Ｓｅｃｔｉｏｎ２２．３．３、Ｍｅａｓｕｒｅｍｅｎｔ  Ｐｒｏｃｅｄｕｒｅのステップ１に従って、生成することができる。
【００１０】
本発明の実施形態によれば、隣接する第２の基地局への第２のメッセージが、第１の通信リンクの確立を開始するための要求を含み、第１の通信リンクは、第２の基地局へのハンドオーバを行うためのハンドオーバ通信を可能にするようになされている。これは、ハンドオーバ要求が第２の基地局と通信される必要がある前に、第１の通信リンクを確立することができるので、特に有利である。これは、ハンドオーバの失敗が回避できるように、最小限の待ち時間でハンドオーバ動作を実行することができるよう保証する。
【００１１】
第１の通信リンクを、Ｘ２インターフェースを使用して確立することができる。
【００１２】
本発明の実施形態によれば、第３のメッセージが、第３の基地局のインターネット・プロトコル（ＩＰ）アドレスを伝達する。第３の基地局への第２の通信リンクの確立は、受信したＩＰアドレスを使用して第４のメッセージを送信することによって開始される。
【００１３】
Ｘ２インターフェースが使用される場合、第３の基地局のＩＰアドレスを使用した第２の通信リンクの確立は、上記の参照技術仕様書３ＧＰＰ  ＴＳ３６．３００のＳｅｃｔｉｏｎ２２．３．２に従って、行うことができる。
【００１４】
本発明の実施形態によれば、第３のメッセージは、第３の基地局の１つのセルに対応した、セル識別子第３の基地局およびトラッキング・エリア・コードを含む。セル識別子（第３の基地局識別情報を含む）およびトラッキング・エリア・コードは、第３の基地局のＩＰアドレスを取得するために使用される。これは、第３の基地局のＩＰアドレスを取り出すために、セル識別子およびトラッキング・エリア・コードを探索引数として使用して、データベースに照会することによって行うことができる。特に、第３の基地局識別情報を含むセル識別子およびトラッキング・エリア・コード第３の基地局を使用して、Ｓ１プロトコル上で、第３の基地局のＩＰアドレスを取得することができる（ＴＳ３６．４１３ｐｒｏｃｅｄｕｒｅ  ｅＮＢ／ＭＭＥ  Ｃｏｎｆｉｇｕｒａｔｉｏｎ  Ｔｒａｎｓｆｅｒ）。このＩＰアドレスを次いで、たとえば、第３の基地局とのＸ２インターフェースを使用して第２の通信リンクを設定するために、使用することができる。第２の通信リンクの設定に必要とされるＩＰアドレスの取り出しは、より遅い時点で遅延なしに処理されうるいかなるハンドオーバ要求よりも前にこのように行われるので、この実施形態は特に有利である。
【００１５】
本発明のさらなる実施形態によれば、第３のメッセージにおいて受信したセル識別子およびトラッキング・エリア・コードは、後でＩＰアドレスを取り出してＸ２インターフェースを設定するために、そのまま記憶され、あるいは、ＩＰアドレスは即座に取り出されるが、Ｘ２インターフェースは（たとえばＵＥ検出において）後で設定される。
【００１６】
本発明のさらなる実施形態によれば、第３のメッセージにおいて受信したセル識別子およびトラッキング・エリア・コードは、Ｘ２インターフェースの媒介なしにＳ１上で直接ハンドオーバを行うために、（たとえばＵＥ検出のために）後で必要とされる場合に、そのまま記憶される。Ｘ２インターフェースなしにハンドオーバ処理を行うことは、より遅くなるという不都合を有するものの、一方で、ハンドオーバ処理に先立ってＸ２インターフェースを設定する必要がない。
【００１７】
本発明のさらなる実施形態によれば、第３のメッセージにおいて受信したセル識別子およびトラッキング・エリア・コードは、上記の２つの実施形態の組合せを可能にするために、そのまま記憶される。
【００１８】
別の態様において、本発明は、本発明の方法を実行するためのコンピュータ・プログラム製品に関する。
【００１９】
さらに別の態様において、本発明は、特許請求されるような基地局に関する。
【００２０】
さらに別の態様において、本発明は、本発明の複数の基地局を含む電気通信ネットワークに関する。
【００２１】
以下では、本発明の実施形態を、図面を参照しながら、例としてのみ説明する。
【図面の簡単な説明】
【００２２】
【図１】本発明に従った、基地局および電気通信ネットワークの実施形態のブロック図である。
【図２】本発明の方法の実施形態を説明する流れ図である。
【発明を実施するための形態】
【００２３】
図１は、移動セルラ・デジタル電気通信ネットワーク１００を示す。電気通信ネットワーク１００はいくつかの基地局を有し、そのうちの基地局１、２、および３が、例として図１に示されている。
【００２４】
基地局１は、プログラム・モジュール１０４、１０６、および１０８を実行するための、少なくとも１つのプロセッサ１０２を有する。プログラム・モジュール１０４は、基地局１に隣接する基地局の自動発見を行うように働く。プログラム・モジュール１０６は、そのような基地局が発見された後で、基地局１と、基地局１に隣接する基地局との間で通信リンクを確立するように働く。そのような通信リンクの確立は、基地局１と、発見された隣接する基地局との間でそれぞれのＸ２インターフェースを設定することによって、実装することができる。プログラム・モジュール１０８は、基地局１から、既に発見されている別の隣接するターゲット基地局へのハンドオーバ動作を行うためなどの、ハンドオーバ処理を行うように働く。
【００２５】
さらに、基地局１は、隣接情報１１２を記憶するためのストレージ・コンポーネント１１０を有する。隣接情報１１２は、その基地局によって発見されている隣接基地局を示す。隣接情報１１２は、上記の参照仕様書のＳｅｃｔｉｏｎ２２．３．２ａ、特に図２２．３．２ａ−１に従って、隣接関係テーブルとして記憶されてもよい。
【００２６】
基地局２および基地局３は、類似した構成を有する。電気通信ネットワークの基地局１、２、３・・・は、コアネットワーク１１４によってリンクされている。
【００２７】
例として、ユーザ装置１１６が図１に示されている。ユーザ装置１１６は、基地局１によってサービスされるセル内に位置する。プログラム・モジュール１０４の実行により、基地局１は、ユーザ装置１１６に、基地局２に属する隣接セルの測定を行うように指示する。ユーザ装置１１６は、実際に基地局２を検出しているが、基地局２から少し離れているものの、なお基地局１の近隣にある基地局３は検出していない。ユーザ装置１１６は、基地局２に関連した第１のメッセージ１１８を生成する。このメッセージ１１８は、基地局２のセル識別子を含む。
【００２８】
メッセージ１１８の受信に応答して、基地局１は、プログラム・モジュール１０４の実行により、第２のメッセージ１２０を生成する。メッセージ１２０は、基地局１から、新たに発見された基地局へと送信され、新たに発見された基地局は、ここで検討される例では基地局２である。メッセージ１２０は、たとえばＳ１上で、基地局１が基地局２のＩＰアドレスを取り出した後で、基地局１から基地局２へと、Ｘ２上で送信される。メッセージ１２０を用いて、基地局１は、基地局１と、新たに発見された基地局２との間で、第１の通信リンク１２２の確立を開始する。
【００２９】
一実装形態において、通信リンク１２２は、基地局１と、新たに発見された基地局２との間でＸ２インターフェースを設定することによって、確立される。この例では、メッセージ１２０は、Ｘ２インターフェース設定要求として実装される。
【００３０】
以下では、基地局２のストレージ・コンポーネント１１０に記憶された隣接情報１１２によって基地局３が識別されるようにして、基地局２が既に基地局３を発見していると仮定する。基地局３に加え、隣接情報１１２は、やはり基地局２によって既に発見されている、電気通信ネットワーク１００の追加的な基地局を識別することができる。
【００３１】
通信リンク１２２を確立するための基地局２によるメッセージ１２０の受信に応答して、プログラム・モジュール１０６が基地局２において呼び出される。プログラム・モジュール１０６は、第３のメッセージ１２４を生成する。メッセージ１２４を生成するために、プログラム・モジュール１０６が実行され、基地局３を示す情報を含む隣接情報１１２を、基地局２のストレージ１１０から読み出す。たとえば、隣接情報１１２は、基地局３のＩＰアドレスを含む。基地局３のＩＰアドレスは、プログラム・モジュール１０６によってメッセージ１２４の中に置かれ、メッセージ１２４は、基地局２から基地局１へと送信される。
【００３２】
特に、メッセージ１２４を、Ｘ２インターフェース設定応答として実装することができ、Ｘ２インターフェース設定応答は、応答基地局２に記憶された隣接情報１１２によって識別された、応答基地局２に隣接する基地局のうちの少なくとも１つの、ＩＰアドレスをさらに含む。
【００３３】
基地局１によるメッセージ１２４の受信に応答して、第１の通信リンク１２２が基地局１と基地局２との間で設定されるように、基地局１のプログラム・モジュール１０６が呼び出される。さらに、メッセージ１２４は、プログラム・モジュール１０４によって処理され、プログラム・モジュール１０４は、可能性のある隣接する基地局３を反映するために、メッセージ１２４から基地局３のＩＰアドレスを読み出し、基地局１のストレージ・コンポーネント１１０に記憶された隣接情報１１２を更新する。
【００３４】
基地局１における基地局３の発見、および関連情報１１２の更新の結果として、基地局１のプログラム・モジュール１０４は、第４のメッセージ１２６の生成をもたらし、第４のメッセージ１２６は、基地局１から新たに発見された基地局３へと送信される。メッセージ１２６は、受信したＩＰアドレスを使用して、基地局１から基地局３へと、Ｘ２上で直接送信される。メッセージ１２６を用いて、基地局１は、基地局１と基地局３との間で第２の通信リンク１２８の確立を開始する。メッセージ１２６を、Ｘ２インターフェース設定要求として実装することができる。メッセージ１２６に応答して、基地局１と基地局３との間に追加的なＸ２インターフェースを設定することなどによって、通信リンク１２８が確立される。
【００３５】
基地局２のストレージ１１０に記憶された隣接情報１１２によって追加的な基地局が識別された場合、それぞれの追加的なＸ２インターフェースが、基地局１と、そのような追加的な基地局のうちの任意の１つとの間に設定されうるように、そのような追加的な基地局もまたメッセージ１２４において識別されてよい。
【００３６】
ユーザ装置１１６が基地局３の近傍に移動するとき、基地局１および基地局３のプログラム・モジュール１０８が、ターゲット基地局３へのユーザ装置１１６のハンドオーバ処理を行うために呼び出される。基地局１と基地局３との間で通信リンク１２８が既に確立されているので、ハンドオーバ処理を行うためのハンドオーバ・プロトコルの実行を、通信リンク１２８を介して最小待ち時間で行うことができる。これは、基地局３が、基地局２から受信したメッセージ１２４を介して基地局１によって発見されていることから、ユーザ装置１１６が必ずしも事前に基地局３を発見していなくても、ハンドオーバ失敗のリスクを大幅に削減するという利点を有する。
【００３７】
代替実施形態によれば、隣接情報１１２は、既に発見された隣接する基地局のＩＰアドレスを含まないが、既に発見された基地局の、１つまたは複数のセルのセル識別子およびトラッキング・エリア・コードを含む。したがって、基地局２によって生成されたメッセージ１２４は、基地局２に隣接する１つまたは複数の基地局の１つまたは複数のＩＰアドレスを含まないが、基地局２に隣接するそのような基地局（複数可）の１つまたは複数のセルのセル識別子およびトラッキング・エリア・コードを含み、特に、基地局３の１つまたは複数のセルのセル識別子およびトラッキング・エリア・コードを含む。基地局１は、セル識別子およびトラッキング・エリア・コードを使用して、基地局３などのＩＰアドレスを取得することができる。これは、Ｓ１手順を使用して、コアネットワーク１１４を介して行うことができる。基地局１が基地局３のＩＰアドレスを取得した後で、通信リンク１２８を確立することができる。
【００３８】
基地局１と基地局２とが隣接しており、基地局２と基地局３とが隣接しているとき、結果として、基地局１と基地局３もまた隣接しているように思われる。したがって、基地局１と基地局３とが隣接しており、基地局３が、基地局１からの可能性のあるハンドオーバ・ターゲットであるという仮定がなされる。例外的にこれが当てはまらない場合、基地局１と基地局３との間に設定されている通信リンク１２８は、一度も使用されない。基地局は、そのような未使用通信リンクを置換するために、タイム・アウト・アルゴリズムまたはエージング・アルゴリズムなどの置換アルゴリズムを実装することができる。たとえば、通信リンク１２８への設定は、基地局１のタイマーを始動させる。タイマーは、基地局１から基地局３へのハンドオーバが行われない限り、動き続ける。タイマー値が最大値に達すると、通信リンク１２８はドロップし、そうでない場合、通信リンク１２８は保たれる。
【００３９】
図２は、それぞれの流れ図を示す。
【００４０】
ステップ２００で、基地局１（図１を参照）などの基地局が、その基地局によってサービスされる１つのセル内にあるユーザ装置のうちの１つ（図１のユーザ装置１１６を参照）から、隣接基地局発見メッセージを受信する。それに応答して、その隣接基地局のＩＰアドレスを取り出した後に、基地局１は、基地局２などの新たに発見された隣接する基地局に対するインターフェース設定要求を生成する。ステップ２０４で、基地局１は、その新たに発見された隣接する基地局２から、インターフェース設定応答を受信する。基地局２の隣接基地局がまた、基地局１の直接的または間接的な隣接基地局であるとき、インターフェース設定応答は、基地局２によって既に発見されている１つまたは複数の隣接基地局を示す情報を含む。ステップ２０６で、必要であれば、後のハンドオーバ処理のための追加的なインターフェースを設定するために、基地局１は、その新たに発見された隣接基地局に隣接する基地局に、インターフェース設定要求を送信する。
【符号の説明】
【００４１】
１  基地局
２  基地局
３  基地局
１００  電気通信ネットワーク
１０２  プロセッサ
１０４  プログラム・モジュール
１０６  プログラム・モジュール
１０８  プログラム・モジュール
１１０  ストレージ・コンポーネント
１１２  隣接情報
１１４  コアネットワーク
１１６  ユーザ装置
１１８  メッセージ
１２０  メッセージ
１２２  通信リンク
１２４  メッセージ
１２６  メッセージ
１２８  通信リンク
【図１】
0005599460.tif 000002
【図２】
0005599460.tif 000003